(57)【要約】【課題】吸収体が強度を有し、吸収性に優れて体液の逆戻りがなく、全体的に低コストで製造できる吸収性物品を提供すること。【解決手段】透液性トップシートと、不透液性バックシート、前記シート間に介在する吸収体とを有し、前記吸収体がパルプ繊維及び吸水性ポリマーを主体としている吸収性物品において、前記吸収体を、前記パルプ繊維より繊維長の長い疎水性繊維を該パルプ繊維内に分散させて構成する。【選択図】　　　　図２
2004073698.tif 000002
【特許請求の範囲】
【請求項１】
透液性トップシートと、不透液性バックシート、前記シート間に介在する吸収体とを有し、前記吸収体がパルプ繊維及び吸水性ポリマーを主体としている吸収性物品において、前記吸収体は、前記パルプ繊維より繊維長の長い疎水性繊維を該パルプ繊維内に分散させたものであることを特徴とする吸収性物品。
【請求項２】
前記吸収体の疎水性繊維が前記パルプ繊維に対して５〜５０重量％であることを特徴とする請求項１に記載の吸収性物品。
【請求項３】
前記吸収体の吸収性ポリマーが前記パルプ繊維に対して１００〜５００重量％であることを特徴とする請求項１に記載の吸収性物品。
【請求項４】
前記吸収体の疎水性繊維の繊度が０．５〜５ｄであることを特徴とする請求項１に記載の吸収性物品。
【請求項５】
前記疎水性繊維は親水化処理のされていない合成繊維で、捲縮処理を行ったものであることを特徴とする請求項１ないし請求項４のいずれかに記載の吸収性物品。
【発明の詳細な説明】
【０００１】
【発明の属する技術分野】
本発明は、使い捨て紙おむつ、あるいは生理用ナプキン等の吸収性物品に関し、さらに詳細には、強度、吸収性、及び製造コストの面で優れた吸収体を有する吸収性物品に関する。
【０００２】
【従来の技術】
従来、使い捨て紙おむつ、あるいは生理用ナプキン等の吸収性物品の基本構成は、表面側、すなわち着用者の身体と接する側を覆う透液性トップシートと、その裏面側を覆う不透液性バックシートと、前記シート間に介在された吸収体とから成っている。
【０００３】
図３は、吸収性物品の一例であるテープ式の使い捨て紙おむつ１００を展開して表面側から見た平面図であり、図４は図３のＹ−Ｙ断面図である。図示するように、この紙おむつ１００は、透液性トップシート１０１と不透液性バックシート１０２との間に介在された吸収体１０３により構成された紙おむつ本体を擬似砂時計形状に形成したもので、その背部側にはこのおむつ本体を身体に保持、密着させるためのファスニングテープ１０４及び弾性伸縮部材１０５Ｂを、同様に腹部側には弾性伸縮部材１０５Ｆを、また脚周り部には弾性伸縮部材１０５Ｓを有するものである。
【０００４】
【発明が解決しようとする課題】
前記吸収体１０３は、全体をクレープ紙１０６で被覆し、通常、内部にパルプ繊維１０７と吸収性ポリマー１０８とを有して成っている。このように構成された紙おむつ１００は、透液性トップシート１０１を通して入ってきた尿等の体液をパルプ繊維１０７で一時的に保持した後、吸収性ポリマー１０８で体液を保持する。このとき、吸収性ポリマーは膨潤し、吸収体１０３の体積が増加するが、この吸収性ポリマー１０８の量を多くすると、吸収体１０３中のパルプ繊維量が相対的に減少し、吸収速度が遅くなると共に繊維同士の絡みが少なくなって吸収体１０３の保形性が劣化する欠点がある。
【０００５】
このため、従来、例えば特開昭６３−９２７０１号公報や特開平２−７４２５４号公報等には、熱溶融性繊維をパルプ繊維中に混ぜ、保形性を向上させるようにした吸収性物品用の吸収体が提案されている。しかし、このような熱溶融性繊維を吸収体に用いた吸収性物品では生産コストがアップし、また吸収阻害等の問題があつた。
【０００６】
これに対し、例えば特開平６−９８９０９号公報には、図４に示すように、吸収体１０３の内部に、パルプ繊維１０７及び吸収性ポリマー１０８と一緒に繊維長の長い親水性繊維１０９を分散させた吸収性物品が提案されている。しかし、このような吸収体１０３を有する紙おむつ１００、すなわち吸収性物品では、繊維同士の絡みができて強度が増し、また熱溶融性繊維に較べ低コストに製造できるものと考えらるが、透液性トップシート１０１及びクレープ紙１０６を透過した体液が吸収体１０３の表面に達すると、親水性繊維１０９が保水してしまい、体液が吸収性ポリマー１０８に吸収される前に吸収体１０３の表面から逆戻り（ｗｅｔ　ｂａｃｋ）してしまうという欠点があった。また、このような親水性の繊維を作るためには繊維に親水化処理が必要となり、そのコストが加算されて全体的にみればコストアップとなる欠点もあった。
【０００７】
本発明は、従来技術の有する上述したような欠点を解消し、吸収体が強度を有し、吸収性に優れて体液の逆戻りがなく、全体的に低コストで製造できる吸収性物品を提供することを目的とする。
【０００８】
【課題を解決するための手段】
本発明の上記目的は、透液性トップシートと、不透液性バックシート、前記シート間に介在する吸収体とを有し、前記吸収体がパルプ繊維及び吸水性ポリマーを主体としている吸収性物品において、前記吸収体は、前記パルプ繊維より繊維長の長い疎水性繊維を該パルプ繊維内に分散させたものであることを特徴とする吸収性物品によって達成される。
【０００９】
また、本発明の上記目的は、前記吸収体の疎水性繊維が前記パルプ繊維に対して５〜５０重量％であることを特徴とする吸収性物品によってより効果的に達成される。
【００１０】
また、本発明の上記目的は、前記吸収体の吸収性ポリマーが前記パルプ繊維に対して１００〜５００重量％であることを特徴とする吸収性物品によってより効果的に達成される。
【００１１】
また、本発明の上記目的は、前記吸収体の疎水性繊維の繊度が０．５〜５ｄであることを特徴とする吸収性物品によってより効果的に達成される。
【００１２】
さらにまた、本発明の上記目的は、前記疎水性繊維は親水化処理のされていない合成繊維で、捲縮処理を行ったものであることを特徴とする吸収性物品によってより効果的に達成される。
【００１３】
【発明の実施の形態】
以下、本発明の内容を、本発明の好ましい実施形態を示す添付図面に基づき詳述する。図１は、本発明に係わる吸収性物品である使い捨ての紙おむつ１０を展開して表面側から見た平面図、図２は図１のＸ−Ｘ断面図である。図示するように、本紙おむつ１０は前述した従来の紙おむつ１００と較べ、吸収体１３の内部構成を除くその他の構成が実質的に同一となっている。このため、前記紙おむつ１００と対応する構成部品には１０番台の対応する番号及び符号が付されている。
【００１４】
すなわち、本紙おむつ１０は、透液性トップシート１１と不透液性バックシート１２との間に介在された吸収体１３により紙おむつ本体が構成され、全体が擬似砂時計形状に形成された背部側には、おむつ本体を身体に保持、密着させるためのファスニングテープ１４及びゴム紐等から成る弾性伸縮部材１５Ｂが、同様に腹部側には弾性伸縮部材１５Ｆが、また脚周り部には弾性伸縮部材１５Ｓが設けられ、クレープ紙１６により被覆された吸収体１３の内部には、パルプ繊維１７と吸収性ポリマー１８と共に繊維長の長い疎水性繊維２０が分散されている。
【００１５】
透液性トップシート１１には、織布、不織布、多孔性シート等の液透過性を有し、柔軟で肌触りのよい素材が用いられている。また、不透液性バックシート１２は、ポリエチレンや防水フィルム、これらの複合材、あるいはフィルムと織布等の複合材で液不透過性を有する肌触りのよい素材が用いられている。
【００１６】
吸収体１３は、図２に示すように、パルプ繊維１７、吸水性ポリマー１８、及びパルプ繊維１７より繊維長の長い疎水性繊維２０から成っている。なお、この吸収体１３の形状及び厚みは用途に応じ、適宜に設計されるが、本実施形態では全体が擬似砂時計形状に形成され、厚みが１０ｍｍ〜２０ｍｍ程度に設定されている。
【００１７】
ここに、疎水性繊維２０の素材としては、ポリプロピレン、ポリエチレン、ポリエチレンテレフタレート、ポリプロピレンとポリエチレンとの複合体、ポリエチレンとポリエチレンテレフタレートとの複合体等の、親水処理のされていない合成繊維で、とくに捲縮処理を行ったものが、強度及び吸収性の面で優れていることから好ましく用いられる。
【００１８】
疎水性繊維２０は、パルプ繊維１７に対して５〜５０重量％であることが望ましい。配合量が５重量％より小さいと固定効果が十分に発現されず、逆に５０重量％より大きいと吸収体１３の厚みが厚くなり、おむつにもっこり感が出て着用しにくくなり、またコスト面でも問題がある。さらにまた、５０重量％より大きい場合には、初期吸収時のパルプ繊維１７の液持ちが少なくなり過ぎ、吸水性ポリマー１８が体液を吸収する前に逆戻りする可能性が出てくる。
【００１９】
また、疎水性繊維２０は、繊維の生産性及びパルプ繊維１７への分散性の面から繊維径は０．５〜５ｄが望ましい。繊維径が０．５ｄより小さいと、強度面において問題があり、逆に５ｄより大きいと触感が悪くなると同時に、毛細管現象により表面シートからの液吸収を阻害する恐れがある。
【００２０】
さらにまた、吸水性ポリマー１８は、吸収体１３の体液吸収率及び保形性の面から、パルプ繊維１７に対して１００〜５００重量％、好ましくは１００〜２００重量％、さらに好ましくは１００〜１５０重量％であることが望ましい。
【００２１】
本紙おむつ１０は以上のとおり構成されているので、透液性トップシート１１及びクレープ紙１６を透過した体液が吸収体１３に達すると、疎水性繊維２０間を縫って吸収性ポリマー１８に直ちに吸収、膨潤される。このため、従来の吸収性物品に見られるような体液の逆戻り現象がなく、着用者にすっきり感を与えることができる。
【００２２】
また、繊維長の長い疎水性繊維２０をパルプ繊維１７と絡ませることにより吸収体１３の強度がアップされ、保形性を良好に維持することができる。なお、この疎水性繊維２０に捲縮処理を行った合成繊維を用いることが好ましいことは上述したとおりである。このような疎水性繊維２０の適用、とりわけ捲縮処理に当たっては、製造工程において特異な装置ないし作業を要するものではなく、低コストで実現し得るものである。
【００２３】
以上、本発明の内容を、吸収性物品が使い捨ての紙おむつである場合を例に説明したが、本発明はこのような紙おむつに限らず、このほか生理用ナプキンや尿取りパッド、あるいは失禁用パンツ等の、公知の吸収性物品に適用できることはいうまでもない。
【００２４】
以上に詳述したように、本発明によれば、吸収体自体の強度をアップすることができ、吸収性にすぐれているので体液の逆戻りがなく、また、従来の熱溶融性繊維や親水性繊維を吸収体に用いた吸収性物品に較べ、全体の製造コストを大幅に低減することができる。
【図面の簡単な説明】
【図１】本発明の一実施形態に係わる使い捨ての紙おむつを展開して表面側から見た平面図である。
【図２】図１のＸ−Ｘ断面図である。
【図３】従来の吸収性物品である紙おむつを展開して表面側から見た平面図である。
【図４】図３のＹ−Ｙ断面図である。
【符号の説明】
１０，１００　　　　　　　　　　　　　　　紙おむつ
１１，１０１　　　　　　　　　　　　　　　透液性トップシート
１２，１０２　　　　　　　　　　　　　　　不透液性バックシート
１３，１０３　　　　　　　　　　　　　　　吸収体
１４，１０４　　　　　　　　　　　　　　　ファスニングテープ
１５（Ｓ，Ｆ，Ｂ），１０５（Ｓ，Ｆ，Ｂ）　　弾性伸縮部材
１６，１０６　　　　　　　　　　　　　　　　クレープ紙
１７，１０７　　　　　　　　　　　　　　　　パルプ繊維
１８，１０８　　　　　　　　　　　　　　　　吸収性ポリマー
１０９　　　　　　　　　　　　　　　　　　　親水性繊維
２０　　　　　　　　　　　　　　　　　　　　疎水性繊維
【図１】
2004073698.tif 000003
【図２】
2004073698.tif 000004
【図３】
2004073698.tif 000005
【図４】
2004073698.tif 000006